(57)【要約】【課題】無線基地局(BS)と移動端末(MSS)とが中継局(RS)経由で通信するP-MP方式の無線データ通信において、移動端末(MSS)のハンドオーバを可能にする。【解決手段】(1)MSS2が接続中のRS1-1から近隣BS広告メッセージを受信する。(2)MSS2が隣接BS、RSをスキャンして隣接BS、RSの情報を取得する。(3)MSS2がスキャンの結果RS1-2へのハンドオーバを決定し、RS1-2の識別子を含むハンドオーバ(HO)要求メッセージをRS1-1経由でBS1へ送信する。(4)BS1がMSS2の要求帯域やQoSをハンドオーバ先でサポート可能かを判断し、ハンドオーバが可能ならばハンドオーバ確認メッセージを送信する。(5)MSS2が、ハンドオーバの開始時間などが含まれるハンドオーバインディケーションメッセージをRS1-1経由でBS1に送信する。(6)MSS2がハンドオーバ先のRS1-2との間で高速レンジング処理を実行する。【選択図】図３
2006311253.tif 000002
【特許請求の範囲】
【請求項１】
一つの無線基地局に複数の移動端末が直接に、または中継局を介して間接的に接続されるP-MP方式の無線データ通信におけるハンドオーバ方法において、
無線基地局が近隣の中継局を認識する手順と、
無線基地局が前記認識された各中継局に一意の識別子(BSID)を割り当てる手順と、
移動端末と通信している中継局が、自身に隣接する無線基地局または中継局に関して、少なくとも各局の識別子を含む情報を前記移動端末へ提供する手順と、
前記移動端末が、前記提供された情報に基づいてハンドオーバ先を探索する手順と、
前記移動端末が、前記探索結果に基づいてハンドオーバ先を決定する手順と、
前記移動端末が、ハンドオーバ先の識別子を含むハンドオーバ要求を前記無線基地局へ送信する手順と、
前記無線基地局が前記決定されたハンドオーバ先へ、前記移動端末の識別子を含むハンドオーバ確認メッセージを送信する手順と、
前記無線基地局が前記移動端末へ、ハンドオーバ先の識別子を含むハンドオーバ確認メッセージを送信する手順と、
前記移動端末が、ハンドオーバインディケーションメッセージを、前記無線基地局へ前記中継局を介して送信する手順と、
前記移動端末とハンドオーバ先とが前記レンジング処理を実行する手順とを含むことを特徴とする無線データ通信のハンドオーバ方法。
【請求項２】
前記移動端末からハンドオーバ要求を受信した無線基地局がさらに、
ハンドオーバ先が他の無線基地局またはその配下であるか否かを判定する手順と、
ハンドオーバ先が他の無線基地局またはその配下であると、前記ハンドオーバ要求を送信した移動端末の情報を含むハンドオーバ事前通知メッセージを当該他の無線基地局へ送信する手順と、
前記ハンドオーバ事前通知メッセージに対して返信されるハンドオーバ事前通知応答メッセージを受信する手順と、
前記ハンドオーバ事前通知応答メッセージに基づいて、前記要求されたハンドオーバが可能であるか否かを判定する手順とを含み、
前記ハンドオーバが可能であると判定されると、前記移動端末の識別子を含むハンドオーバ確認メッセージをハンドオーバ先へ送信することを特徴とする請求項１に記載の無線データ通信のハンドオーバ方法。
【請求項３】
前記無線基地局は、各中継局に自局からのホップ数に固有の識別子を割り当てることを特徴とする請求項１または２に記載の無線データ通信のハンドオーバ方法。
【請求項４】
前記移動端末は、各局の識別子に基づいて無線基地局から各局までのホップ数を認識し、ホップ数の少ない局をハンドオーバ先として優先的に決定することを特徴とする請求項３に記載の無線データ通信のハンドオーバ方法。
【発明の詳細な説明】
【技術分野】
【０００１】
本発明は、無線データ通信のハンドオーバ方法に係り、特に、中継局を介したP-MP方式の無線データ通信に好適なハンドオーバ方法に関する。
【背景技術】
【０００２】
高速無線データ通信の規格(IEEE802.16)が非特許文献１で定められている。IEEE802.16の物理レイヤでは、変調方式としてシングルキャリア、OFDM（直交周波数分割多重）およびOFDMA（直交周波数分割多元接続）がサポートされている。以下、IEEE802.16に準拠した無線データ通信方法を、変調方式としてOFDMを採用した場合を例にして説明する。
【０００３】
IEEE802.16では、通信形態の一つとしてP-MP（point-to-multipoint ）が規定されており、このP-MPでは、BS（無線基地局）が全てのSS（加入者端末）の送受信機会をスケジューリングすることで、効率が良く、かつQoS（サービス品質）を保証した通信を可能としている。
【０００４】
図７は、P-MP方式でのOFDMフレーム構成の一例を示した図であり、プリアンブル、FCH（Frame Control Header）に続く1つ目のDL（ダウンリンク）バースト内のブロードキャストメッセージフィールドに含まれるMAPメッセージにスケジューリング情報が格納されている。
【０００５】
このスケジューリング情報には、各SSに割り当てる下りリンク用のスロット情報および上りリンク用のスロット情報が格納されており、SSはこれらの情報を受信することで、自分用のデータが届くタイミングと自分がデータを送信して良いタイミングとを知ることができる。以下では、FCHに続く1つ目のDLバースト内のブロードキャストメッセージフィールドに含まれるMAPメッセージを単にMAPメッセージと表現する。
【０００６】
各BSにはBase Station ID（BSID）と呼ばれる４８ビットの固有な識別子が付与されており、SSは各BSをBSIDによって識別する。BSIDの上位２４ビットは事業者を識別するものであり、同一事業者内では下位２４ビットで各BSを識別する。
【０００７】
図８は、IEEE802.16で規定されるMAC（メディアアクセス制御）ヘッダのフレーム構造を示した図であり、コネクションを一意に識別するコネクションIDが各コネクションに付与される。IEEE802.16のMACヘッダには、このコネクションID用のスペースが用意され、BSおよびSSは、このコネクションIDでパケットを識別する。
【０００８】
SSは、ネットワークに参加する際および参加後も定期的に、BSとの送受信タイミングや送信電力を調整するためにレンジングと呼ばれる処理を行なう。ネットワークに参加する際は、BSから割り当てられたイニシャルレンジング期間にレンジングを行なう。このイニシャルレンジング期間はコンテンションベースであり、SSは、この期間にRNG-REQ（レンジング要求）メッセージをBSへ送信する。RNG-REQを受信したBSは、SSの調整が必要であれば、送信出力、周波数および送信タイミング等の情報を、レンジング継続通知（RNG-RSP中のRanging Status＝continue）を伴ったRNG-RSP（レンジング応答）メッセージに登録して前記SSへ応答する。
【０００９】
レンジング継続通知のRNG-RSPを受信したSSは、送信出力、周波数および送信タイミングを調整した後、BSからSSに割り当てられるイニシャルレンジング期間で再度RNG-REQをBSへ送信する。SSの送信出力等が予め設定された値を満足する場合、BSはレンジング成功通知（RNG-RSP中のRanging Status＝success）を伴ったRNG-RSPを前記SSへ応答する。
【００１０】
このようなレンジングは、レンジング成功通知を伴ったRNG-RSPがSSで受信されることで終了する。なお、SSがネットワーク参加後に行なわれるレンジングは、ネットワーク参加時と同様のイニシャルレンジング期間またはSS用に割り当てられたイニシャルレンジング期間で行なわれる。
【００１１】
BSは、RNG-RSPの「Downlink Operational Burst Profile」に記載のバーストプロファイルを用いてSSへデータを送信する。また、SSはUL-MAPのUIUCに記載のバーストプロファイルを用いてBSへデータを送信する。このUL-MAPのUIUCに記載のバーストプロファイルはBSによって指定される。ここで、バーストプロファイルとは変調方式やFECコードタイプなどのパラメータセットのことである。
【００１２】
一方、上記した非特許文献１が静止しているSSを対象にしているのに対して、非特許文献２は、非特許文献１と同様の物理層、MAC層を用いながら、いくつかの新たなメッセージを加えることで、移動するSS（MSS；Mobile SS）をも対象とした高速無線データ通信の規格を定めるものであり、IEEE802.16e（以下802.16e）と呼ばれる。
【００１３】
IEEE802.16eでは、現在のBS（サービングBS）が隣接するBS（隣接BS）の情報（周波数等）を近隣BS広告メッセージとして同報送信することで、MSSはそれら隣接BSを簡単にスキャンすることが可能となり、スキャンの結果、最適なBSにハンドオーバすることができる。ここで、MSSが隣接BSのBSIDやCINR（Carrier-to-Interference-Noise Ratio）を含んだスキャンレポートをサービングBSへ送信するなどすることで、サービングBSは隣接BSの情報を取得することができる。
【００１４】
以下、図９に示したネットワークトポロジにおいて、BS3と通信しているMSS2がIEEE802.16eの規格に従ってBS4へハンドオーバする際の手順を、図１０のシーケンスフローに沿って説明する。
【００１５】
手順１：MSS2がサービングBSであるBS3から隣接BS情報を受信する。
手順２：MSS2が隣接BSのスキャンを開始する。
手順３：ハンドオーバの実行を決定したMSS3がBS3へハンドオーバ（HO）要求メッセージを送信する。このメッセージにはハンドオーバ先のBSID（ここではBS4のBSID）などが含まれている。
手順４：前記ハンドオーバ要求メッセージを受信したBS3は、BS4へハンドオーバ事前通知メッセージを送信する。このメッセージにはハンドオーバを要求しているMSS2の識別子やMSS2が保持しているコネクションのパラメータ、MSS2に必要な帯域やQoSパラメータなどが含まれている。
手順５：前記ハンドオーバ事前通知メッセージを受信したBS4は、事前通知応答メッセージでBS3に返信する。このメッセージには、MSS2に必要なQoSをサポート可能であるか否か等の情報が含まれている。
手順６：前記事前通知応答メッセージを受信したBS3は、BS4にハンドオーバする旨のハンドオーバ確認メッセージを送信し、MSS2にハンドオーバ応答メッセージを送信する。ハンドオーバ応答メッセージには、BS4のBSIDやMSS2が保持しているCIDの数、およびBS3でのCID分のBS4での新CIDなどを含んでいる。
手順７：ハンドオーバ応答メッセージを受信したMSS2は、ハンドオーバを開始するためにハンドオーバインディケーションメッセージをBS3へ送信する。このメッセージにはハンドオーバの開始時間などが含まれる。
手順８：MSS2はBS4との間で高速レンジング処理を実行してハンドオーバを完了する。
【非特許文献１】IEEE Standard for Local and metropolitan area networks - Part 16: Air Interface for Fixed Broadband Wireless Access Systems, IEEE 802.16 -2004, Oct, 2004.
【非特許文献２】Draft IEEE Standard for Local and metropolitan area networks - Part 16: Air Interface for Fixed and Mobile Broadband Wireless Access Systems, IEEE P802.16e/D5a, Dec. 02, 2004.
【発明の開示】
【発明が解決しようとする課題】
【００１６】
無線データ通信では、送受信アンテナ間に位置する障害物による遮蔽によって生じる電波減衰の影響などにより、MSSがサービスエリア内であるにもかかわらずBSと通信を行うことのできない不感地帯が存在する。高速無線データ通信を行うには高い周波数を用いる必要があるが、波長が短く電波の直進性が増すため、より不感地帯が増加することが予想される。このような不感地帯を解消方法として、BSとMSSとの間に中継局(Relay Station)を設置し、BSとMSSとがRS経由で通信する方式が考えられる。しかしながら、P-MP方式の無線データ通信システムにRSを追加すると、MSSが現在通信中のRSやBSから他のRSやBSへハンドオーバすることができなくなってしまう。
【００１７】
本発明の目的は、上記した従来技術の課題を解決し、無線基地局(BS)と移動端末(MSS)とが中継局(RS)経由で通信するP-MP方式の無線データ通信において、移動端末(MSS)のハンドオーバを可能にすることにある。
【課題を解決するための手段】
【００１８】
上記した目的を達成するために、本発明は、一つの無線基地局に複数の移動端末が直接に、または中継局を介して間接的に接続されるP-MP方式の無線データ通信におけるハンドオーバ方法において、以下のような手順を含むことを特徴とする。
(1)無線基地局が近隣の中継局を認識する手順と、無線基地局が前記認識された各中継局に一意の識別子(BSID)を割り当てる手順と、移動端末と通信している中継局が、自身に隣接する無線基地局または中継局に関して、少なくとも各局の識別子を含む情報を前記移動端末へ提供する手順と、前記移動端末が、前記提供された情報に基づいてハンドオーバ先を探索する手順と、前記移動端末が、前記探索結果に基づいてハンドオーバ先を決定する手順と、前記移動端末が、ハンドオーバ先の識別子を含むハンドオーバ要求を前記無線基地局へ送信する手順と、前記無線基地局が前記決定されたハンドオーバ先へ、前記移動端末の識別子を含むハンドオーバ確認メッセージを送信する手順と、 前記無線基地局が前記移動端末へ、ハンドオーバ先の識別子を含むハンドオーバ確認メッセージを送信する手順と、前記移動端末が、ハンドオーバインディケーションメッセージを、前記無線基地局へ前記中継局を介して送信する手順と、前記移動端末とハンドオーバ先とが前記レンジング処理を実行する手順とを含むことを特徴とする。
(2)前記移動端末からハンドオーバ要求を受信した無線基地局がさらに、ハンドオーバ先が他の無線基地局またはその配下であるか否かを判定する手順と、ハンドオーバ先が他の無線基地局またはその配下であると、前記ハンドオーバ要求を送信した移動端末の情報を含むハンドオーバ事前通知メッセージを当該他の無線基地局へ送信する手順と、前記ハンドオーバ事前通知メッセージに対して返信されるハンドオーバ事前通知応答メッセージを受信する手順と、前記ハンドオーバ事前通知応答メッセージに基づいて、前記要求されたハンドオーバが可能であるか否かを判定する手順とを含み、前記ハンドオーバが可能であると判定されると、前記移動端末の識別子を含むハンドオーバ確認メッセージをハンドオーバ先へ送信することを特徴とする。
(3)前記無線基地局が、各中継局に自局からのホップ数に固有の識別子を割り当てることを特徴とする。
(4)前記移動端末が、各局の識別子に基づいて無線基地局から各局までのホップ数を認識し、ホップ数の少ない局をハンドオーバ先として優先的に決定することを特徴とする。
【発明の効果】
【００１９】
本発明によれば、以下のような効果が達成される。
(1)P-MP方式の無線データ通信において、無線基地局と移動端末とが中継局を介して間接的に通信する環境下でも確実なハンドオーバが可能になる。
(2)ハンドオーバ先が現在接続中の無線基地局と異なる他の無線基地局またはその配下の中継局であってもハンドオーバが可能になる。また、ハンドオーバ先が現在接続中の無線基地局の配下の中継局であれば、ハンドオーバ先が現在接続中の無線基地局と異なる他の無線基地局の配下の中継局である場合に比べて、制御メッセージの量を少なくできる。
(3)無線基地局が各中継局に割り当てる識別子を無線基地局からのホップ数に固有な値にしたので、移動端末は無線基地局と各中継局との位置関係を各中継局の識別子に基づいて認識できるようになる。
(4)移動端末がハンドオーバ先を決定する際に、各中継局の識別子に基づいて無線基地局と中継局とのホップ数を認識できるので、ホップ数の少ない中継局を優先的にハンドオーバ先にすれば最適な中継局を簡単に選択できるようになる。
【発明を実施するための最良の形態】
【００２０】
以下、図面を参照して本発明の最良の実施の形態について詳細に説明する。図１は、本発明に係るハンドオーバ方法が適用されるP-MP方式のネットワーク構成の一例を示した図であり、無線基地局(BS1)の電波到達範囲内には２つの中継局(RS1-1，RS1-2)が位置しており、無線基地局(BS2)の電波到達範囲内には中継局(RS2-1)が位置している。
【００２１】
図２は、本実施形態において前記BSおよび各RSに割り宛てられるBSIDの構成を示した図であり、全４８ビットで表現されるBSIDの上位２４ビットがオペレータIDであり、このオペレータIDを除く残り２４ビットのうち、上位２１ビットでドメインが表現され、この上位２１ビットが同一のBSもしくはRS同士は「同一BSドメイン内」と定義される。BSに割り当てられるBSIDの下位３ビットは全て「０」とされ、各RSに割り当てられるBSIDの下位３ビットは、それ以外とされる。各RSへのBSIDの割り当てはBSにより自動に行われる。
【００２２】
BSIDのオペレータIDを除く残りの２４ビットが[0 0 0 0 0 0 0 0 0 0 0 0 0 0 0 0 0 0 0 0 1 0 0 0]であるBS（例えば、図１のBS1）は、自局に最初に接続したRS（例えば、図１のRS1-1）には、アドレス値が「１」だけインクリメントされた[0 0 0 0 0 0 0 0 0 0 0 0 0 0 0 0 0 0 0 0 1 0 0 1]を割り当て、このアドレスを割り当て済みアドレスとしてテーブル等に記憶する。そして、次にRS（例えば、図１のRS1-2）が接続されると前記テーブルを参照し、最新の割り当て済みアドレスの値が更に「１」だけインクリメントされた[0 0 0 0 0 0 0 0 0 0 0 0 0 0 0 0 0 0 0 0 1 0 1 0]を前記RSに割り当てる。
【００２３】
移動端末(MSS)は、接続先を現在のBSあるいはRSから他のBSあるいはRSへハンドオーバする際、現在の接続先BSと同一BSドメイン内のBSもしくはRSがハンドオーバ先である場合には、BSIDの下位３ビットを識別子として含むハンドオーバ要求メッセージを送信する。MSSは、現在の接続先BSもしくはRSのBSIDと、ハンドオーバ先のBSもしくはRSのBSIDとの、オペレータIDを除く残り２４ビットの上位２１ビット同士を比較することで、同一BSドメイン内へのハンドオーバであるか否かを判定する。
【００２４】
次いで、図１に示したネットワークトポロジにおいて、RS1-1と通信しているMSS2がRS1-2へハンドオーバする際の手順を、図３のシーケンスフローに沿って説明する。
【００２５】
手順１：MSS2が接続中のRS1-1から近隣BS広告メッセージを受信する。
手順２：MSS2が隣接BSや近隣RSをスキャンする。ここで、RS1-1はMSS2から隣接BSや隣接RSのBSIDやCINRなどを含んだスキャンレポートを受信するなどして、隣接BSや近隣RSの情報を取得する。
手順３：MSS2は、スキャンの結果RS1-2へのハンドオーバを決定すると、RS1-2のBSIDの下位３ビットを識別子として含むハンドオーバ(HO)要求メッセージをRS1-1経由でBS1へ送信する。
手順４：BS1は、前記ハンドオーバ要求メッセージを受信すると、MSS2の要求帯域やQoSをハンドオーバ先のBS（つまり自身）やRSでサポート可能かを判断し、ハンドオーバが可能ならばハンドオーバ先のRSへMSS識別子などを含むハンドオーバ確認メッセージを送信する。ハンドオーバ先がBS自身である場合には、前記ハンドオーバ確認メッセージの送信は必要ない。また、BSはMSS2に対してハンドオーバ応答メッセージを送信する。このメッセージには、ハンドオーバ先(RS1-2)のBSIDの下位3ビットなどが含まれている。
手順５：MSS2は、前記ハンドオーバ応答メッセージを受信すると、ハンドオーバの開始時間などが含まれるハンドオーバインディケーションメッセージをRS1-1経由でBS1に送信する。
手順６：MSS2がハンドオーバ先のRS1-2との間で高速レンジング処理を実行してハンドオーバは完了する。
【００２６】
次いで、図１に示したネットワークトポロジにおいて、RS1-1と通信しているMSS1が、BS1とはBSドメインが異なるBS2の配下にあるRS2-1へハンドオーバする際の手順を、図４のシーケンスフローに沿って説明する。MSS1は、接続中のRS1-1のBSIDと、ハンドオーバ先のRS2-1のBSIDとの、オペレータIDを除く残り２４ビットの上位２１ビット同士が同じでない場合、異なるBSドメイン内へのハンドオーバと判断する。
【００２７】
手順１：MSS1はRS1-1より近隣BS広告メッセージを受信する。
手順２：MSS1が隣接BSやRSをスキャンする。
手順３：MSS1は、前記スキャンの結果RS2-1へのハンドオーバを決定すると、ハンドオーバ要求メッセージをRS1-1経由でBS1へ送信する。
手順４：ハンドオーバ要求メッセージを受信したBS1は、BS同士を有線接続するバックボーンネットワークを利用して、BS2へハンドオーバ事前通知メッセージを送信する。このメッセージにはハンドオーバを要求しているMSS1の識別子やMSS1が保持しているコネクションのパラメータ、MSS1に必要な帯域やQoSパラメータなどが含まれる。
手順５：ハンドオーバ事前通知メッセージを受信したBS2は、事前通知応答メッセージでBS1に返信する。このメッセージには、該MSSに必要なQoSをサポート可能であるか否かの情報などが含まれている。
手順６：BS1からRS2-1へ、MSS1の識別子を含んだハンドオーバ確認メッセージが送信される。また、BS1はRS1-1経由でMSS1に対して、ハンドオーバ応答メッセージを送信する。
手順７：MSS1はハンドオーバインディケーションメッセージをBS1へ送信する。
手順８：MSS1がハンドオーバ先のRS2-1との間で高速レンジング処理を実行してハンドオーバを完了する。
【００２８】
図５，６は、BSとMSSとの間でのデータ通信が複数のRSを経由して行われる場合の各RSへのBSIDの割り当て方法を模式的に示した図であり、ここでは、全４８ビットのBSIDのうち、オペレータIDを除く残り２４ビットの上位１８ビットがBSドメインの識別に用いられ、下位６ビットがRSの識別に用いられている。BSに割り当てられるBSIDは、下位６ビットが全て「０」となる。
【００２９】
このBSから１ホップ目に位置しているRSに割り当てられるBSIDは、下位６ビットのうちの下位３ビットは全て「０」のまま、上位３ビットのみがBSへの接続順に応じて固有の値となる。BSから２ホップ目に位置するRSに割り当てられるBSIDは、下位６ビットのうち上位３ビットは、BS方向へ1ホップ目のRSのBSIDの下位６ビットのうちの上位３ビットと同じとなる。これらRSへのBSIDの割り当てもBSにより自動的に行われる。
【００３０】
例えば、BSIDのオペレータIDを除く残り２４ビットが[0 0 0 0 0 0 0 0 0 0 0 0 0 0 0 0 0 1 0 0 0 0 0 0]のBSを考える場合（例えば、図５のBS1）、このBS1に最初に接続したRS（例えば、図５のRS1-1）にはBSID[0 0 0 0 0 0 0 0 0 0 0 0 0 0 0 0 0 1 0 0 1 0 0 0]が割り当てられ、次に接続したRS（例えば、図５のRS1-2）には、下位６ビットの上位３ビットが「１」だけインクリメントされたBSID[0 0 0 00 0 0 0 0 0 0 0 0 0 0 0 0 1 0 1 0 0 0 0]が自動的に割り当てられる。
【００３１】
また、RSに接続したRS（例えば、図５のRS1-1に接続したRS1-1-1）には、下位６ビットのうちの上位３ビットは接続先RS（RS1-1）と同一であり、下位３ビットが「１」だけインクリメントされたBSID[0 0 0 0 0 0 0 0 0 0 0 0 0 0 0 0 0 1 0 0 1 0 0 1]が割り当てられる。同様に、図５のRS1-2に接続したRS1-2-1にはBSID[0 0 0 0 0 0 0 0 0 0 0 0 0 0 0 0 0 1 0 1 0 0 0 1]が割り当てられる。
【００３２】
このように、本実施形態ではBSと各RSとの階層的な接続状態がBSIDの一部で階層的に表現されるので、各RSのBSIDを参照すればBSと各RSとの位置関係を簡単に認識できるようになる。したがって、MSSが起動直後に接続先を選択する際やハンドオーバ先を選択する際、各候補の受信電力が予め設定した許容範囲内にあって優劣が判断しにくいような場合であっても、各候補のBSIDを参照すれば、よりBSに近いRS、あるいはBS自身を接続先として優先的に選択できるようになる。
【００３３】
なお、上記した実施形態では、全４８ビットのBSIDのうち、オペレータIDを除く残り２４ビットの上位１８ビットをBSドメインの識別に用い、下位６ビットを中継局(RS)の識別に用いるものとして説明したが、本発明はこれのみに限定されるものではなく、ネットワークの規模や収容端末数等に応じて、BSドメインおよび中継局の識別に割り当てるビット数を適宜に変更しても良い。
【００３４】
以上、好ましい実施の形態を挙げて本発明を説明したが、本発明は必ずしも上記実施形態に囚われるものではなく、本発明の概念が変化しない範囲で多様に変化し実施可能である。
【図面の簡単な説明】
【００３５】
【図１】本発明に係るハンドオーバ方式が適用されるP-MP方式のネットワークの構成を示した図である。
【図２】BSおよび各RSに割り宛てられるBSIDの構造を模式的に表現した図である。
【図３】本発明に係るハンドオーバ手順の一例を示したシーケンスフローである。
【図４】本発明に係るハンドオーバ手順の他の一例を示したシーケンスフローである。
【図５】BSとMSSとの間でのデータ通信が複数のRSを経由して行われる場合の各RSへのBSIDの割り当て方法を模式的に示した図である。
【図６】BSとMSSとの間でのデータ通信が複数のRSを経由して行われる場合の各RSへのBSIDの割り当て方法を模式的に示した図である。
【図７】P-MP方式でのOFDMフレーム構成の一例を示した図である。
【図８】IEEE802.16で規定されるMACヘッダのフレーム構造を示した図である。
【図９】IEEE802.16eが適用されるネットワークトポロジの一例を示した図である。
【図１０】IEEE802.16eによるハンドオーバ手順を示したシーケンスフローである。
【符号の説明】
【００３６】
BS…無線基地局
RS…中継局  
SS…加入者端末
MSS…移動端末
【図１】
2006311253.tif 000003
【図２】
2006311253.tif 000004
【図３】
2006311253.tif 000005
【図４】
2006311253.tif 000006
【図５】
2006311253.tif 000007
【図６】
2006311253.tif 000008
【図７】
2006311253.tif 000009
【図８】
2006311253.tif 000010
【図９】
2006311253.tif 000011
【図１０】
2006311253.tif 000012